(57)【要約】  体液採取装置（２０）は使用者の皮膚の切開部周囲に配置された圧搾部材（３０）と、圧搾部材に接触し横断する圧縮部材（３２）と、切開部近くの皮膚に接触するように構成された筐体（６０）とを含む。圧搾部材は切開部上の弛緩位置から切開部上の緊縮位置へ繰り返し動くように構成される。圧搾部材は、切開部周囲の皮膚を繰り返し絞りおよび／または圧縮するために少なくとも部分的に弾性である。
2007530162.tif 000002
【特許請求の範囲】
【請求項１】
皮膚に切開部を形成するように構成されたランセットと、
そこを通ってランセットが展延し、皮膚の切開部上の弛緩位置と切開部上の緊縮位置のあいだに動くことのできる帯を有する圧搾部材と、
前記圧搾部材に接触し横断するように構成された圧縮部材であって、前記帯が弛緩位置から緊縮位置へ圧縮して皮膚の切開部から体液を圧搾する圧縮部材と、
前記切開部近くの皮膚に接触するように構成された筐体とを含み、
前記圧搾部材の少なくとも一部が弛緩位置に戻るために弾性である採取装置。
【請求項２】
前記帯が環形状である請求項１記載の採取装置。
【請求項３】
前記圧搾部材が少なくとも１つの圧搾突出部を含み、
前記圧縮部材が少なくとも１つの圧搾突出部に接触するように構成された少なくとも１つの圧縮突出部を含む請求項１記載の採取装置。
【請求項４】
前記圧縮突出部が少なくとも１つの圧搾突出部を横断して前記帯を圧縮するように構成される請求項３記載の採取装置。
【請求項５】
前記帯が弾性である請求項１記載の採取装置。
【請求項６】
前記圧搾部材が、前記帯を取り囲むように構成された皮膚接触部分を含み、皮膚接触部分が、前記皮膚の切開部から体液を圧搾するために前記切開部上の弛緩位置と前記切開部上の緊縮位置のあいだで可動であることをさらに含む請求項１記載の採取装置。
【請求項７】
前記筐体が凹形状を有する請求項１記載の採取装置。
【請求項８】
前記切開部から圧搾された体液を試験する試験片をさらに含む請求項１記載の採取装置。
【請求項９】
前記切開部から圧搾された体液を試験する一体化された試験片をさらに含む請求項１記載の採取装置。
【請求項１０】
前記圧縮部材が前記圧搾部材を少なくとも部分的に受容する通路を含む請求項１記載の採取装置。
【請求項１１】
前記帯が皮膚に接触するように構成された請求項１記載の採取装置。
【請求項１２】
前記圧搾部材と前記圧縮部材が互いに長手方向に動くことができるように構成され、相対的な長手方向の動きが前記帯を弛緩位置から緊縮位置へ圧縮する請求項１記載の採取装置。
【請求項１３】
前記圧搾部材と前記圧縮部材が互いに相対的に回転可能であるように構成され、相対的な回転の動きが前記帯を弛緩位置から緊縮位置へ圧縮する請求項１記載の採取装置。
【請求項１４】
前記回転動きを行うように構成されたモーターをさらに有する請求項１３記載の採取装置。
【請求項１５】
皮膚の切開部上の弛緩位置と切開部上の緊縮位置のあいだに動くことのできる皮膚接触部分を有する圧搾部材と、
前記圧搾部材に接触して前記皮膚接触部分を前記弛緩位置から前記緊縮位置へ動かすように構成された圧縮部材と、
前記切開部近くの皮膚に接触する筐体とを含み、
前記圧搾部材の少なくとも一部が前記弛緩位置に戻るために弾性であることを含む採取装置。
【請求項１６】
前記圧搾部材が皮膚の切開部上の弛緩位置と切開部上の緊縮位置のあいだに動くことのできる通路を含む請求項１５記載の採取装置。
【請求項１７】
前記通路が弾性である請求項１６記載の採取装置。
【請求項１８】
前記圧搾部材が少なくとも１つの突起を含み、
前記圧縮部材が少なくとも１つの突起に接触し横断するように構成された少なくとも１個の隆起を含む請求項１５記載の採取装置。
【請求項１９】
前記瘤が非弾性材料から作られる請求項１８記載の採取装置。
【請求項２０】
前記圧搾部材が少なくとも１つの弾性帯を含む請求項１５記載の採取装置。
【請求項２１】
前記帯が切開部から体液を圧搾するように構成される請求項２０記載の採取装置。
【請求項２２】
前記帯が環形状である請求項２０記載の採取装置。
【請求項２３】
前記圧搾要素が少なくとも１つの弾性指を含む請求項１５記載の採取装置。
【請求項２４】
前記指が前記切開部から体液を圧搾するように構成される請求項２３記載の採取装置。
【請求項２５】
皮膚に前記切開部を形成するように構成されたランセットをさらに含む請求項１５記載の採取装置。
【請求項２６】
前記切開部から圧搾された体液を試験す量に構成された試験要素をさらに含む請求項２１記載の採取装置。
【請求項２７】
前記切開部から圧搾された体液を試験す量に構成された試験要素をさらに含む請求項２４記載の採取装置。
【請求項２８】
前記筐体が凹形状である請求項１５記載の採取装置。
【請求項２９】
皮膚の切開部に、切開部近くの皮膚に接触する筐体を含む採取装置を配置すること、
前記切開部周囲の皮膚を繰り返し絞り、圧縮することによって前記切開部からの体液を前記採取装置で圧搾し、前記切開部に体液を流れさせることを含む体液の圧搾方法。
【請求項３０】
前記採取装置のランセットで皮膚に切開部を形成することをさらに含む請求項２９記載の方法。
【請求項３１】
前記採取装置の試験片で体液を収集することをさらに含む請求項２９記載の方法。
【請求項３２】
前記採取装置が、弛緩位置から緊縮位置へ弾性的に動く圧搾部材を含み、前記切開部近くの皮膚が絞られ圧縮されることをさらに含む請求項２９記載の方法。
【請求項３３】
前記圧搾部材が前記緊縮位置から前記弛緩位置へ動く請求項３２記載の方法。
【請求項３４】
前記筐体が皮膚の前記切開部へ体液を出現させるように凹形状である請求項２９記載の方法。
【発明の詳細な説明】
【技術分野】
【０００１】
本発明は、全体的に体液採取装置に関し、さらに詳細には、しかし非限定的に採取装置および装置で体液を圧搾する技術に関する。
【背景技術】
【０００２】
体液の試験は、基本的に、患者の皮膚の切開、流体サンプルの圧搾、流体サンプルの収集、試験装置へのサンプルの移動、流体サンプルの試験の実施、および結果の表示を含む。これらの工程は一般に複数の個別の装備または装置によって行われる。典型的に、体液サンプルを得るために、切開部は患者の指先に形成される。患者はしばしば切開部位へ流体を出現させるよう助言を受ける。
【０００３】
患者は、指マッサージ装置で切開部近くの皮膚領域に圧力を加え解除することによって流体を指の切開部位へ出現させることができる。これを適用するにあたって、患者はしばしば切開部近くの特定の皮膚領域に圧力を加え解除する指マッサージ装置を用いる。使用者は彼の指を装置の中に挿入し、指の特定の点に圧力が繰り返し加えられ解除される。
【０００４】
患者はしばしば圧力を皮膚に加えることによって手動で流体を切開部から押し出しまたは搾り出すことを試みる。手動で切開部周囲の領域に圧力を加えることは、特に老人など手の器用さに制約のある患者にとって困難なことがある。したがって、患者は切開部から体液を圧搾するのに機械的な装置を使用することができる。
【０００５】
指マッサージ装置に伴う問題は切開部周囲の皮膚がマッサージされないことである。したがって、切開部の周囲の皮膚全てがマッサージされる状況と比べるとき、患者は切開部に多くの体液を出現させることができない。十分な量の体液が切開部位に圧搾されないならば、患者は皮膚の他の領域を切開しなければならないであろう。
【０００６】
指マッサージ装置は切開部周囲の皮膚に対して振動圧力を加えない。むしろ、装置は指の切開部の反対側の皮膚に振動圧力を加える。さらに、指マッサージ装置は圧力のパターンを変化させない。したがって、十分な量の流体を圧搾することができない。圧力の変化および切開部周囲の皮膚を脈動させることは切開部に圧搾される体液の量を増加させる。
【発明の開示】
【０００７】
指マッサージ装置に伴うさらに他の問題は、指マッサージ装置が指先を受容するように構成され、たとえば代替部位試験（ＡＳＴ）などのために体の他の部分を受け入れないことである。したがって、患者は指マッサージ装置を用いるために繰り返し彼らの指先を刺し、切開部に流体を出現させまたは圧搾しなければならない。指先を繰り返し刺穿することは、指先に高濃度の末端神経があるため、苦痛である場合もある。したがって、末端神経のより少ない体の代替部位は、血液または他の体液を採取するのに苦痛の少ない領域を提供することができる。しかし、これらの代替部位は刺穿したとき指先に比べてより少ない体液を生成するであろう。したがって、代替部位で試験に必要な十分な体液サンプルを圧搾することが重要である。
【０００８】
したがって、この分野における改善が必要である。
【０００９】
本発明の一態様は、ランセットと、圧搾部材と、圧縮部材と、筐体とを含む採取装置に関する。圧搾部材は、弛緩位置と緊縮位置のあいだで動くことのできる帯を含む。圧搾部材の少なくとも１部は弾力性がある。
【００１０】
さらに他の態様は採取装置に関する。装置は少なくとも１個の圧搾突出部を有する圧搾部材を含む。また、採取装置は、圧搾部材上の圧搾突出部に接触し横断するように構成された少なくとも１個の圧縮突出部を有する圧縮部材を含む。
【００１１】
他の態様は採取装置に関する。装置は、圧搾部材と、圧縮部材と、筐体とを含む。圧搾部材は、皮膚の切開部上で弛緩位置と緊縮位置のあいだを動くことができる。圧縮部材は圧搾部材に係合して圧搾部材を脈動させる。圧搾部材は少なくとも部分的に弾性である。
【００１２】
さらに他の態様は体液の圧搾方法に関する。方法は、皮膚の切開部の上に採取装置を配置し、採取装置で切開部近くの皮膚を繰り返し絞りおよび／または圧縮することによって切開部から体液を圧搾することを含む。
【００１３】
本発明のさらに他の形態、目的、特徴、態様、利益、利点、および実施形態は、詳細な説明および本明細書に提供される図面から明らかになるであろう。
【発明を実施するための最良の形態】
【００１４】
本発明の原理の理解を促進する目的で、ここで図面で示される実施形態を参照し、およびそれを説明するための特殊な言語を用いる。いずれにしろ、本発明の範囲が制限されないことが理解されるであろう。説明される実施形態における任意の変更およびさらに他の修正、および本明細書に説明される本発明の原理のさらに他の応用は、本発明が関係する分野の当業者には普通に想起されるものと考えられる。
【００１５】
本発明の一実施形態は、全体的に、切開部に流れる体液の量を増加させる採取装置に関する。採取装置は採取装置に係合する自動機構の力によって体液の自動的な搾り出しまたは押し出しを可能にする働きをする。しかし、使用者が採取装置を係合すると、採取装置は手動的な体液の搾り出しを可能にする働きもする。採取装置は、採取装置に加えられた圧縮力および／または回転力で体液を切開部から圧搾する働きが可能である。一形態において、採取装置は脈動して切開部から体液を圧搾する。他の実施形態において、繰り返し圧縮力を皮膚に加えることによって、および／または採取装置にパターンを変化させた回転力を加えることによって、切開部から体液が圧搾される。
【００１６】
ここで、特に、本発明の一実施形態による採取装置２０を図１および３を参照して説明する。図３に示されるように、採取装置２０は皮膚に切開部を形成するためのランセットまたは切開形成部材２２と、切開部から体液を圧搾するための圧搾装置２４と、体液を毛細管作用によって吸い取って切開部からの体液を試験するための試験装置または試験片２６とを含む。理解されるべきように、圧搾装置２４は切開部から体液を圧搾し試験装置２６は圧搾された体液を試験装置２６に吸い取る。一実施形態において、採取装置２０は、たとえば、参照により本明細書に組み込まれている、２００２年８月１日公開されたペレツらの米国特許出願公開第２００２／０１０３４９９号明細書（２００２年１月２２日出願された米国特許出願第１０／０５４２７０号）に開示された種類の、一体化された試験片と一体化されている。やはり、他の種類の採取装置も使用できることを理解されるべきである。平坦なランセット２２が図３に示されるが、他の装置も切開部の形成に用いることができる。図１において、圧搾装置２４は切開部近くの皮膚を絞りおよび／または圧縮するための圧搾部材３０と、圧搾部材３０に係合するための圧縮部材３２とを含む。圧縮部材３２は圧搾部材３０を受容する圧搾側表面３４と圧搾側表面３４の反対側の筐体側表面３６とを含む。
【００１７】
図２および３に示されたように、圧搾部材３０は、切開部周囲の皮膚に接触するように構成された皮膚接触部分３８と、皮膚接触部分３８の反対側の末端部分４０と、そこから１個または複数の圧搾突起（nub）４４が展延する圧縮部材側表面４２とを含む。圧搾部材３０の形状は変化することができ、たとえば、圧搾部材３０は管、樽、円錐形、または圧搾部材３０が体液を切開部に圧搾することのできる任意の他の形状とすることができる。
【００１８】
図１および３からわかるように、圧搾部材３０は、ランセット２２を受容して刺穿のあいだそこを通ってランセット２２が展延するための円形断面形状を有する通路４６を含む。通路４６は所望により様々な幾何形状とすることができることを理解されるべきである。一形態において、圧搾部材３０は皮膚接触部分３８の近くに、切開部近くの皮膚を絞りおよび／または圧縮するための環状帯４８を含む。理解すべきように、帯４８は、いくつかを挙げれば、矩形、楕円形、台形、または長円などの他の形状を含むことができるが、制限されない。一形態において、環状帯４８は、シリコーンゴムまたはブチルゴムなどの弾性材料から作られるが制限されない。しかし、環状帯４８は他の形状の弾性材料からも作ることができることを理解されるべきである。
【００１９】
図２および３において、皮膚接触部分３８は環状帯４８から末端部分４０に向かって展延し、皮膚接触部分３８は、環状帯４８が圧縮または弛緩される際に圧搾または弛緩するように構成される。さらに、皮膚接触部分３８は全体的に環状帯４８を取り囲む円形状を有するが、他の実施形態において、皮膚接触部分３８は異なる形状とすることができる。非制限的な例として、皮膚接触部分３８は、矩形、楕円形、台形、長円、または環状帯４８を取り囲むことのできる任意の他の形状とすることができる。さらに、皮膚接触部分３８は切開部からの流体の圧搾および／または切開部周囲の皮膚の把握を改善するために肌理を有することができる。たとえば、皮膚接触部分３８は、いくつかを挙げれば、溝付き、螺旋形、または段付き表面を有することができる。示した実施形態において、皮膚接触部分３８はシリコーンゴムまたはブチルゴムなどの弾性材料から作られるが制限されない。しかし、皮膚接触部分３８は他の形状の弾性材料から作ることも考えられる。
【００２０】
図１に示されたように、圧搾突起４４は圧縮側表面４２から外側へ放射状に展延して、圧搾側表面３４から内側に放射状に展延する１個または複数の圧縮突出部５０に接触する。図１に示されたように、複数の圧搾突起４４は圧縮部材側表面４２から展延する。しかし、他の実施形態において、１個または複数の圧搾突起４４は圧縮部材側表面４２から展延することができることを理解すべきである。非制限的な例として、圧搾突起４４は、半円形、半楕円形、矩形、または圧搾突起４４が圧縮突出部５０に接触することのできる任意の他の形状とすることができる。
【００２１】
図１および４からわかるように、半円形状の圧縮突出部５０は圧搾突起４４に接触し横断するように構成される。図１において、圧縮部材３２は圧搾側表面３４から展延する複数の圧縮突出部５０を有する。しかし、他の実施形態において、１個または複数の圧縮突出部５０は圧搾側表面３４から内側へ放射状に展延できることを理解されるべきである。示されたように、圧縮部材側表面４２上に間隔を置く圧搾突起４４に対して等数の圧縮突出部５０が圧搾側表面３４に均等に間隔をおく。他の形態において、圧搾突起４４および圧縮突出部５０は、圧縮突出部５０が圧搾突起４４に接触および横断するように不均等に間隔を置くことができ、環状帯４８は非対称的なパターンで圧縮される。理解されるべきように、圧搾突起４４および圧縮突出部５０の不均等な間隔は環状帯４８の脈動パターンを変化させる。図１において、圧縮突出部５０は一般に丸い形状を有するが、他の実施形態において、圧縮突出部５０は、半楕円形、矩形、長円形、または圧搾突起４４に接触し横断する任意の他の形状とすることができることを理解されるべきである。圧搾突起４４および圧縮突出部５０の形状によって、それらは互いの上を滑ることが可能である。
【００２２】
図３に示されたように、採取装置２０は、圧縮部材３２を保持し圧縮部材３２を圧搾部材３０に係合させる筐体６０を含む。筐体６０は、切開部近くの皮膚に接触するための皮膚接触部分６２、および皮膚接触部分６２と反対側の末端部分６４とを含む。また、筐体６０は、使用者または機械的装置が把握するための外部表面６６、および圧縮部材３２の筐体側表面３６に収まるための内部表面６８とを含む。一実施形態において、筐体６０は、圧縮部材３２を受容するように構成された通路７０を含む。図３および６において、筐体６０は圧搾部材３０および圧縮部材３２に対して一般に平行な関係で展延する。代替の実施形態において、筐体６０は凹形状を有し、皮膚接触部分６２が切開部近くの皮膚に接触すると、体液を切開部に向けて出現させる。
【００２３】
図１および３に示されたように、圧搾部材３０、圧縮部材３２、および筐体６０は３個の分離した取り付け自在の要素である。圧搾部材３０、圧縮部材３２、および筐体６０は、各々圧搾部材３２が圧縮部材３２内に収まり、圧縮部材３２が筐体６０内に収まる形状を有する。特に、圧搾部材３０、圧縮部材３２、および筐体６０は、管形状を有し、その形状は製造することおよび使用者が把握するのが容易であるので有利である。圧搾部材３０、圧縮部材３２、および筐体６０は、他の実施形態において異なる形状とすることができる。
【００２４】
ここで、一実施形態による採取装置２０の動作を図１、４、６、および７を参照して説明する。図１および４に示された圧搾装置２４は試験用体液を圧搾する装置の使用を容易にし、速度を改善することを理解されるべきである。１個の装置に組み合わせた圧搾部材３０、圧縮部材３２、および筐体６０を用いて、切開部周囲の皮膚を脈動させて切開部から流体を絞り出しまたは押し出すことによって、使用者は迅速に切開部から体液を圧搾することができるであろう。さらに、圧搾装置２４で、使用者は指または前腕、脚、または耳たぶなど代替の部位から体液を圧搾することができる。採取装置２０のランセット２２は皮膚に切開部を形成し、圧搾装置２４の環状帯４８および皮膚接触部分３８は、切開部周囲の皮膚に圧力を加えることによって、および／または切開部周囲の皮膚を絞りまたは緊縮することによって、流体を圧搾する。図示された実施形態において、圧搾装置２４は切開部周囲の皮膚に繰り返し圧力を加えまたは解除するように構成され、および／または切開部周囲の皮膚を繰り返し絞りまたは弛緩させるように構成される。圧搾装置２４によって十分な量の体液が圧搾された後、体液が毛細管作用によって試験装置２６の中に吸い取られるように試験装置２６を体液に接触させる。流体が試験装置２６中に吸い取られると、試験装置２６は収集した体液を試験する。理解されるべきように、異なる種類の採取装置が使用されるとき、体液は異なる方法で収集し試験することができる。
【００２５】
図１および２は、圧搾部材３０に対する圧縮部材３２の回転動きによって搾り出しが誘起される一実施形態を示す。他の実施形態において、圧縮部材３２は、圧縮突出部５０が少なくともいくつかの圧搾突起４４を横断するように圧搾部材３０に対して長手方向に動き、環状帯４８は体液が切開部から押し出されるように狭まる。図１、２、および６は、採取装置２０が使用者の皮膚Ｓに置かれたとき圧縮突出部５０が圧搾突起４４に接触しないような弛緩位置における、圧搾部材３０、圧縮部材３２、および筐体６０の相対位置を示す。回転機構またはモーター８０は圧搾側表面３４、および／または圧縮部材３２の筐体側表面３６に取り付けられ、圧縮部材３２を回転させる。一形態において、モーター８０は、モーター８０が圧縮部材３２を回転させる際に筐体側表面３６を保持する。異なる形態において、モーター８０は圧搾側表面３４に取り付けられて圧縮部材３２を回転させる。他の実施形態において理解されるべきように、使用者はモーター８０の補助なしに手動で圧縮部材３２を回転させることができる。説明のため、図６および７において、圧縮部材３２の一部および筐体６０の一部は圧搾部材３０を明らかにするため除かれている。環状帯４８および皮膚接触部分６２は皮膚Ｓに対して配置される。環状帯４８は切開部Ｉの上に配置される。
【００２６】
図４および７は、モーター８０が圧縮部材３２を回転させて圧搾部材３０に係合した後、圧搾部材３０、圧縮部材３２、および筐体６０の緊縮位置における相対位置を示す。圧縮突出部５０は圧搾突起４４に接触して圧縮し、環状帯４８を拡張させ通路４６を緊縮させる。圧縮突出部５０は圧搾突起４４を圧縮し、皮膚接触部３８を緊縮させる。
【００２７】
また、図１および６は、圧縮突出部５０が圧搾突起４４を横断するようにモーター８０が圧縮部材３２を回転させた後の、圧搾部材３０、圧縮部材３２、および筐体６０の相対位置を示す。示された実施形態において、環状帯４８は緊縮し、通路４６はその弛緩位置へ拡張する。また、図２に示されたように、皮膚接触部３８はその弛緩位置へ拡張する。一形態において、圧縮部材３２に加えられた回転力および圧搾部材３０に加えられた圧縮力は、十分な量の体液が切開部Ｉに圧搾されるまで繰り返し加えられ解除される。さらに、切開部Ｉ周囲の環状帯４８の脈動は、圧力が繰り返し加えられ解除されると、切開部Ｉへ流れる血液を連続的に出現させる。切開部Ｉ周囲の皮膚Ｓの繰り返し搾り出しまたは押し出しは体液を切開部Ｉへ流れさせる。代替の実施形態において、凹形状の筐体６０は、回転力が圧縮部材３２に加えられると、体液が切開部Ｉへ圧搾されるのを助ける。理解すべきように、回転力を圧縮部材３２へ繰り返し加えることは、皮膚接触部３８、通路４６、および環状帯４８を切開部Ｉの上で拡張および／または緊縮させる。
【００２８】
本発明の代替の実施形態による採取装置１２０が図８および１０に示される。採取装置１２０は、切開部を形成するためのランセット１２２と、切開部から体液を圧搾するための圧搾装置１２４と、体液を毛細管作用によって吸い取り、切開部からの体液を試験するための試験装置または試験片１２６を含む。理解されるべきように、圧搾装置１２４は、体液を切開部から圧搾し、試験装置１２６は圧搾された体液を試験装置１２６に吸い取る。平坦なランセット１２２が図１０に示されているが、他の装置を用いて切開部を形成することができる。圧搾装置１２４は、切開部近くの皮膚を絞りおよび／または圧縮するための圧搾部材１３０を含む。また、採取装置１２０は圧搾部材１３０に係合するための圧縮部材１３２も含む。圧縮部材１３２は、圧搾部材１３０を受容するための圧搾側表面１３４および圧搾側表面１３４の反対側の筐体側表面１３６とを含む。
【００２９】
図９および１０において、圧搾部材１３０は、切開部周囲の皮膚に接触するように構成された皮膚接触部分１３８と、皮膚接触部分１３８の反対側の末端部分１４０と、そこから１個または複数の圧搾突出部１４４が展延する圧縮部材側表面１４２とを含む。また、圧搾部材１３０は、ランセット１２２を受容するための円形の断面形状を有する通路１４６を含む。理解されるべきように、通路１４６は所望により様々な幾何形状とすることができる。図示された実施形態において、圧搾部材１３０は、切開部近くの皮膚を絞りおよび／または圧縮するための皮膚接触部分１３８近くに、１個または複数の花弁または指１４８を含む。一形態において、指１４８はシリコーンゴムまたはブチルゴムなどの弾性材料から作られるが、制限されない。しかし、指１４８は弾性材料の他の形態から作ることも考えることができる。図９において、指１４８は緊縮された半円形状に構成される。図１２において、指１４８は膨張した半円形状に構成される。皮膚接触部分１３８は指１４８から末端部分１４０に向かって展延し、指１４８が圧縮または弛緩されるとき皮膚接触部分１３８が圧縮または弛緩するように構成される。一形態において、皮膚接触部分１３８および指１４８は、切開部周囲の皮膚を脈動させるように構成される。図８および９において、皮膚接触部分１３８は、指１４８を取り囲む円形形状を有するが、他の実施形態において皮膚接触部分１３８は他の形状とすることができることを理解されるべきである。皮膚接触部分１３８はシリコーンゴムまたはブチルゴムなどの弾性材料から作られるが、制限されない。しかし、皮膚接触部分１３８は弾性材料の他の形態から作ることも考えることができる。
【００３０】
図８に示されたように、半円形状の圧搾突出部１４４は圧縮側表面１４２から外側へ放射状に展延して、圧搾側表面１３４から内側へ放射状に展延する１個または複数の圧縮突出部１５０に接触する。理解されるべきように、圧搾突起１４４の半円形状は圧縮突出部１５０を圧搾突起１４４に接触し横断させる。非制限的な例として、圧搾突起１４４は半円形状、半楕円、矩形、または圧搾突起１４４と圧縮突出部１５０が互いに滑ることのできる他の任意の形状とすることができる。
【００３１】
半円形状の圧縮突出部１５０は圧搾側表面１３４から内側へ放射状に展延し、圧縮突出部１５０は圧搾突起１４４に接触し横断するように構成される。図８に示されたように、圧縮部材１３２は圧搾側表面１３４から展延する複数の圧縮突出部または隆起１５０を有する。しかし、他の実施形態において、１個または複数の圧縮突出部１５０は圧搾側表面１３４から内側へ放射状に展延することができることを理解すべきである。一形態において、圧縮部材側表面１４２上に間隔を置く圧搾突起１４４に対して等数の圧縮突出部１５０が圧搾側表面１３４の上に均等に間隔を置く。他の形態において、圧縮突出部１５０が圧搾突起１４４に接触して横断するように、等数ではない圧縮突出部１５０と圧搾突起１４４が間隔を置き、指１４８は非対称的なパターンで圧縮される。理解されるべきように、圧搾瘤１４４および圧縮突出部１５０の不均等な間隔は指１４８の脈動パターンを変化させる。図示された実施例において、圧縮突出部１５０は一般に半円形状を有するが、他の実施形態において、圧縮突出部１５０は異なる形状とすることができることを理解されるべきである。圧搾突出部１４４および圧縮突出部１５０の形状は、それらが互いに滑ることを可能にする。
【００３２】
図８および１３に示されたように、採取装置１２０は、圧縮部材１３２を保持し圧縮部材１３２を圧搾部材１３０に係合させる筐体１６０を含む。筐体１６０は、切開部近くの皮膚に接触する皮膚接触部分１６２と、皮膚接触部分１６２の反対側の末端部分１６４とを含む。筐体１６０は、使用者または機械的な装置が把握するための外部表面１６６、および圧縮部材１３２の筐体側表面１３６に収まるための内部表面１６８を含む。図８に示された一実施形態において、筐体は圧縮部材１３２を受容するように構成された通路１７０を含む。図１３に示されたように、筐体１６０は、圧搾部材１３０および圧縮部材１３２に対して一般に平行な関係に展延する。代替の実施形態において、筐体１６０は凹形状を有し、皮膚接触部分１６２が切開部近くの皮膚に接触すると、体液を切開部に向けて出現させる。
【００３３】
ここで、代替の実施形態による採取装置１２０の動作を図８、１１、１３、および１４を参照して説明する。図８、９、および１３は、採取装置１２０が使用者の皮膚Ｓに配置されたとき、圧縮突出部１５０が圧搾突起１４４に接触しないような弛緩位置における、圧搾部材１３０、圧縮部材１３２、および筐体１６０の相対位置を示す。回転機構またはモーター１８０は圧搾側表面１３４に取り付けられ、圧縮部材１３２を回転させる。他の形態において、回転機構１８０は圧縮部材１３２の筐体側表面１３６に取り付けられて圧縮部材１３２を回転させる。他の形態において、使用者は手動で圧縮部材１３２を回転させて圧搾部材１３０に係合させることができる。説明のため、図１３および１４において、圧縮部材１３２の一部および筐体１６０の一部は圧搾部材１３０を明らかにするため除かれている。皮膚接触部分１３８および皮膚接触部分１６２は皮膚Ｓに対して配置される。指１４８は切開部Ｉの上に配置される。
【００３４】
図１１および１４は、圧縮突出部１５０が圧搾突起１４４に接触するように、モーター１８０が圧縮部材１３２を回転させた後の、圧搾部材１３０、圧縮部材１３２、および筐体１６０の相対位置を示す。圧縮突出部１５０は圧搾突起１４４に接触して指１４８を拡張させ、通路１４６を拡張させる。また、図８、９、および１３は、圧縮突出部１５０が圧搾突起１４４を横断し、圧縮突出部１５０がもはや圧搾突起１４４に接触しないように、圧縮部材１３２を回転させた後の、圧搾部材１３０、圧縮部材１３２、および筐体１６０の相対位置を示す。図８および９において、指１４８および通路１４６は弛緩位置に緊縮する。また、図８および９に示されたように、皮膚接触部分１３８は弛緩位置へ拡張する。一形態において、圧縮部材１３２に加えられた回転力および／または圧縮部材１３２に加えられた圧縮力は十分な量の体液が切開部Ｉへ圧搾されるまで繰り返し加えられ解除される。他の形態において、圧縮突出部１５０と圧搾突起１４４が互いに滑るとき、指１４８は脈動する。指１４８は非対称的なパターンで脈動することも考えることができる。非制限的な例として、互いに滑る不均等な数の圧縮突出部１５０と圧搾突起１４４、または圧縮突出部１５０または圧搾突起１４４の不均等な間隔は、非対称的なパターンの脈動を生じることができる。代替の実施形態において、筐体１６０の凹形状は、回転力が圧縮部材１３２に加えられる際に切開部Ｉへ体液を圧搾することを助ける。理解すべきように、圧縮部材１３２へ回転力を繰り返し加えることは、皮膚接触部分１３８、通路１４６、および指１４８を切開部Ｉの上で拡張および／または緊縮させる。
【００３５】
本発明を図面および前述の説明において詳細に示し説明したが、これは本質的に例示のためであって制限するものではなく、好ましい実施形態のみが示され説明され、本発明の精神内の全ての変更および修正の保護が望ましいことを理解すべきである。本明細書に記載された全ての刊行物、特許、特許出願は、あたかもそれらの各々の刊行物、特許、または特許出願を詳細および個々にその全体を参照して本明細書に組み込みかつ記載して示す如く、参照によって本明細書に組み込まれている。
【図面の簡単な説明】
【００３６】
【図１】本発明の一実施形態による弛緩位置における採取装置の末端図である。
【図２】図１の線２−２に沿って切り取った圧搾部材だけを示す図１の装置の断面図である。
【図３】図１の線３−３に沿って切り取った図１の装置の断面図である。
【図４】緊縮位置における図１の採取装置の末端図である。
【図５】図４の線５−５に沿って切り取った圧搾部材だけを示す図１の装置の断面図である。
【図６】皮膚に接触している弛緩位置における図１の採取装置の側部部分断面図である。
【図７】皮膚に接触している緊縮位置における図１の採取装置の側部部分断面図である。
【図８】弛緩位置における本発明の第２実施形態による採取装置の末端図である。
【図９】図８の線９−９に沿って切り取った圧搾部材だけを示す図８の装置の断面図である。
【図１０】図８の線１０−１０に沿って切り取った図８の装置の断面図である。
【図１１】緊縮位置における本発明の第２実施形態による採取装置の末端図である。
【図１２】図１１の線１２−１２に沿って切り取った圧搾部材だけを示す図８の装置の断面図である。
【図１３】皮膚に接触している弛緩位置における図８の採取装置の側部部分断面図である。
【図１４】皮膚に接触している緊縮位置における図８の採取装置の側部部分断面図である。
【図１】
2007530162.tif 000003
【図２】
2007530162.tif 000004
【図３】
2007530162.tif 000005
【図４】
2007530162.tif 000006
【図５】
2007530162.tif 000007
【図６】
2007530162.tif 000008
【図７】
2007530162.tif 000009
【図８】
2007530162.tif 000010
【図９】
2007530162.tif 000011
【図１０】
2007530162.tif 000012
【図１１】
2007530162.tif 000013
【図１２】
2007530162.tif 000014
【図１３】
2007530162.tif 000015
【図１４】
2007530162.tif 000016
【手続補正書】
【提出日】平成19年2月23日(2007.2.23)
【手続補正１】
【補正対象書類名】特許請求の範囲
【補正対象項目名】全文
【補正方法】変更
【補正の内容】
【特許請求の範囲】
【請求項１】
皮膚に切開部を形成するように構成されたランセットと、
そこを通ってランセットが展延し、皮膚の切開部上の弛緩位置と切開部上の緊縮位置のあいだに動くことのできる帯を有する圧搾部材と、
前記圧搾部材に接触し横断するように構成された圧縮部材であって、前記帯が弛緩位置から緊縮位置へ圧縮して皮膚の切開部から体液を圧搾する圧縮部材と、
前記切開部近くの皮膚に接触するように構成された筐体とを含み、
前記圧搾部材の少なくとも一部が弛緩位置に戻るために弾性である採取装置。
【請求項２】
前記帯が環形状である請求項１記載の採取装置。
【請求項３】
前記圧搾部材が少なくとも１つの圧搾突出部を含み、
前記圧縮部材が少なくとも１つの圧搾突出部に接触するように構成された少なくとも１つの圧縮突出部を含む請求項１記載の採取装置。
【請求項４】
前記帯が弾性である請求項１記載の採取装置。
【請求項５】
前記圧搾部材が、前記帯を取り囲むように構成された皮膚接触部分を含み、皮膚接触部分が、前記皮膚の切開部から体液を圧搾するために前記切開部上の弛緩位置と前記切開部上の緊縮位置のあいだで可動であることをさらに含む請求項１記載の採取装置。
【請求項６】
前記筐体が凹形状を有する請求項１記載の採取装置。
【請求項７】
前記帯が皮膚に接触するように構成された請求項１記載の採取装置。
【請求項８】
前記圧搾部材と前記圧縮部材が互いに長手方向に動くことができるように構成され、相対的な長手方向の動きが前記帯を弛緩位置から緊縮位置へ圧縮する請求項１記載の採取装置。
【請求項９】
前記圧搾部材と前記圧縮部材が互いに相対的に回転可能であるように構成され、相対的な回転の動きが前記帯を弛緩位置から緊縮位置へ圧縮し、
前記回転動きを行うように構成されたモーターをさらに有する請求項１記載の採取装置。
【請求項１０】
皮膚の切開部上の弛緩位置と切開部上の緊縮位置のあいだに動くことのできる皮膚接触部分を有する圧搾部材と、
前記圧搾部材に接触して前記皮膚接触部分を前記弛緩位置から前記緊縮位置へ動かすように構成された圧縮部材と、
前記切開部近くの皮膚に接触する筐体とを含み、
前記圧搾部材の少なくとも一部が前記弛緩位置に戻るために弾性であることを含む採取装置。
【請求項１１】
前記圧搾部材が皮膚の切開部上の弛緩位置と切開部上の緊縮位置のあいだに動くことのできる通路を含み、
前記通路が弾性である請求項１０記載の採取装置。
【請求項１２】
前記圧搾要素が少なくとも１つの弾性指を含み、
前記弾性指が前記切開部から体液を圧搾するように構成される請求項１０記載の採取装置。
【国際調査報告】
2007530162.tif 000017
2007530162.tif 000018
2007530162.tif 000019
2007530162.tif 000020
2007530162.tif 000021